(57)【特許請求の範囲】
【請求項１】
吸収器と再生器と圧縮機とを有し、吸収器と再生器との間を循環する吸収媒体の経路および再生器の冷媒蒸気を圧縮機で圧縮して吸収器に移送する冷媒の経路を有し、前記再生器の冷却作用を外部に取り出す熱媒体と熱交換関係にある蒸発器を設け、前記再生器内の吸収媒体と熱交換関係にある凝縮器を設け、前記圧縮機で圧縮した冷媒蒸気を該凝縮器に導き凝縮した冷媒を貯蔵する冷媒貯蔵空間を設け、再生器で濃縮した吸収媒体を貯蔵する吸収媒体貯蔵空間を設け、前記蒸発器の冷媒空間を前記冷媒貯蔵空間および前記吸収器に接続したヒートポンプにおいて、圧縮機を運転して前記再生器の冷媒蒸気を圧縮して前記凝縮器で冷媒を凝縮させることによって吸収媒体を濃縮して吸収媒体濃度を増加させるとともに濃縮した吸収媒体を前記吸収媒体貯蔵空間に貯蔵し、かつ凝縮した冷媒を前記冷媒貯蔵空間に貯蔵する第１の運転モードと、圧縮機を運転して前記再生器の冷媒蒸気を圧縮して前記凝縮器で冷媒を凝縮させることによって前記再生器内の吸収媒体を濃縮して吸収媒体濃度を増加させるとともに、前記蒸発器で冷媒を蒸発させて蒸発した冷媒を前記吸収器で吸収させる第２の運転モードと、圧縮機を停止して前記蒸発器で冷媒を蒸発させて蒸発した冷媒を前記吸収器で吸収させる第３の運転モードと、圧縮機を運転して前記再生器の冷媒蒸気を圧縮して前記吸収器で吸収させる第４の運転モードの４種類の運転モードとを備え、各々の運転モードを選択的に切換可能に構成したことを特徴とするヒートポンプ。
【請求項２】
冷媒蒸気を吸収媒体で吸収する吸収器と冷媒蒸気を吸収媒体から分離する再生器と冷媒蒸気を圧縮する圧縮機を有し、該吸収器と該再生器との間を循環する吸収媒体の循環経路および再生器の冷媒蒸気を圧縮機で圧縮して吸収器に移送する冷媒の経路を有し、前記再生器の冷却作用を外部に取り出す熱媒体と熱交換関係にある蒸発器を設け、さらに前記再生器内の吸収媒体と熱交換関係にある凝縮器を設け、さらに前記圧縮機で圧縮した冷媒蒸気を該凝縮器に導き凝縮した冷媒を貯蔵する冷媒貯蔵空間を設け該冷媒貯蔵空間を前記蒸発器と接続し、さらに再生器で濃縮した吸収媒体を貯蔵する吸収媒体貯蔵空間を設け該吸収媒体貯蔵空間を前記発生器および吸収媒体の循環経路と接続し、さらに前記蒸発器の冷媒空間を前記冷媒貯蔵空間および前記吸収器に接続したヒートポンプにおいて、圧縮機を運転して前記再生器の冷媒蒸気を圧縮して前記凝縮器で冷媒を凝縮させることによって吸収媒体を濃縮して吸収媒体濃度を増加させるとともに濃縮した吸収媒体を前記吸収媒体貯蔵空間に貯蔵し、かつ凝縮した冷媒を前記冷媒貯蔵空間に貯蔵する第１の運転モードと、圧縮機を運転して前記再生器の冷媒蒸気を圧縮して前記凝縮器で冷媒を凝縮させることによって前記再生器内の吸収媒体を濃縮して吸収媒体濃度を増加させるとともに、前記蒸発器で冷媒を蒸発させて蒸発した冷媒を前記吸収器で吸収させる第２の運転モードと、圧縮機を停止して前記蒸発器で冷媒を蒸発させて蒸発した冷媒を前記吸収器で吸収させる第３の運転モードと、圧縮機を運転して前記再生器の冷媒蒸気を圧縮して前記吸収器で吸収させる第４の運転モードの４種類の運転モードとを備え、各々の運転モードを選択的に切換可能に構成したことを特徴とするヒートポンプ。
【請求項３】
冷媒蒸気を吸収媒体で吸収し吸収熱で温熱媒体を加熱する吸収器と再生熱を冷熱媒体から奪って冷媒蒸気を吸収媒体から分離する再生器と冷媒蒸気を圧縮する圧縮機を有し、該吸収器と該再生器との間を循環する吸収媒体の循環経路および再生器の冷媒蒸気を圧縮機で圧縮して吸収器に移送する冷媒の経路を有し、前記再生器の冷却作用を外部に取り出す冷熱媒体の経路を流動するものと同じ冷熱媒体と熱交換関係にある蒸発器を設け、前記冷熱媒体が前記再生器または該蒸発器を選択的に流動できるよう冷熱媒体の経路を開閉弁を介してヒートポンプ外部との冷熱媒体の接続口と接続し、前記再生器内の吸収媒体と熱交換関係にある凝縮器を設け、該凝縮器には前記圧縮機で圧縮した冷媒蒸気を分岐して導く経路と凝縮器で凝縮した冷媒を前記冷媒貯蔵空間に導く経路を設け、該冷媒貯蔵空間を前記蒸発器と接続し、さらに再生器で濃縮した吸収媒体を貯蔵する吸収媒体貯蔵空間を設け該吸収媒体貯蔵空間を前記発生器と接続し、前記吸収媒体貯蔵空間を再生器を出た吸収媒体の循環経路と開閉弁を介して接続し、前記蒸発器の冷媒空間を前記吸収器に接続するよう構成したヒートポンプにおいて、圧縮機を運転して前記再生器の冷媒蒸気を圧縮して前記凝縮器で冷媒を凝縮させることによって吸収媒体を濃縮して吸収媒体濃度を増加させるとともに濃縮した吸収媒体を前記吸収媒体貯蔵空間に貯蔵し、かつ凝縮した冷媒を前記冷媒貯蔵空間に貯蔵する第１の運転モードと、圧縮機を運転して前記再生器の冷媒蒸気を圧縮して前記凝縮器で冷媒を凝縮させることによって前記再生器内の吸収媒体を濃縮して吸収媒体濃度を増加させるとともに、前記蒸発器で冷媒を蒸発させて蒸発した冷媒を前記吸収器で吸収させる第２の運転モードと、圧縮機を停止して前記蒸発器で冷媒を蒸発させて蒸発した冷媒を前記吸収器で吸収させる第３の運転モードと、圧縮機を運転して前記再生器の冷媒蒸気を圧縮して前記吸収器で吸収させる第４の運転モードの４種類の運転モードとを備え、各々の運転モードを選択的に切換可能に構成したことを特徴とするヒートポンプ。
【発明の詳細な説明】
【０００１】
【発明の属する技術分野】
本発明は、ヒートポンプに係り、特にデシカント式空調システム用の熱源機として使用する蓄熱機能付きヒートポンプに関する。
【０００２】
【従来の技術】
デシカント式空調装置は米国特許第２，７００，５３７号明細書に記載されている。この公知例に示されたデシカント式空調装置では、デシカント（吸湿剤）の再生のための熱源として、１００〜１５０℃程度の温度の熱源を必要とし、もっぱら電気ヒータやボイラが熱源として用いられていた。最近になってデシカントの改良により、６０〜８０℃の温度でもデシカントの再生ができるデシカント空調装置が開発され、温度の低い熱源で運転が可能になって、デシカントの再生および処理空気の冷却用に電動式の蒸気圧縮式ヒートポンプ（冷凍機を含む）を組合せたデシカント式空調装置が開発されるようになった。
【０００３】
図１２は公知の電動式の蒸気圧縮式ヒートポンプまたは冷凍機を組合せたデシカント式空調装置の従来例で、図１３は図１２の例の空調機の運転状態を示したモリエル線図である。図１２の図中番号１０１は空調空間、１０２は送風機、１０３は処理空気および再生空気と選択的に接することができるデシカント材を内包したデシカントロータ、１０４は顕熱熱交換器、１０５は加湿器、１０６は加湿器の給水配管、１０７〜１１３は処理空気の空気通路、１４０は再生空気の送風機、２２０は凝縮器で冷媒と再生空気の熱交換器（加熱器）、１２１は顕熱熱交換器、１２４〜１３０は再生空気の空気通路、２０１〜２０４は冷媒経路、２４０は蒸発器で冷媒と再生空気の熱交換器（冷却器）、２５０は膨張弁、２６０は圧縮機である。また図中、丸で囲ったアルファベットＫ〜Ｖは、図１３と対応する空気の状態を示す記号であり、ＳＡは給気を、ＲＡは還気を、ＯＡは外気を、ＥＸは排気を表わす。
【０００４】
この従来例の作用について説明すると、図１２において、空調される室内１０１の空気（処理空気）は経路１０７を経て送風機１０２に吸引され昇圧されて経路１０８をへてデシカントロータ１０３に送られデシカントロータの吸湿剤で空気中の水分を吸着され絶対湿度が低下する。また吸着の際、吸着熱によって空気は温度上昇する。湿度が下がり温度上昇した空気は経路１０９を経て顕熱熱交換器１０４に送られ外気（再生空気）と熱交換して冷却される。冷却された空気は経路１１０を経て冷却器２４０に送られ冷凍機の作用によって冷却され、経路１１２を経て加湿器１０５に送られ水噴射または気化式加湿によって等エンタルピ過程で温度低下し経路１１３を経て空調空間１０１に戻される。
【０００５】
デシカントはこの過程で水分を吸着したため、再生が必要で、この従来例では外気を用いて次のように行われる。外気（ＯＡ）は経路１２４を経て送風機１４０に吸引され昇圧されて顕熱熱交換器１０４に送られ、処理空気を冷却して自らは温度上昇し経路１２５を経て次の顕熱熱交換器１２１に流入し、再生後の高温の空気と熱交換して温度上昇する。さらに顕熱熱交換器１２１を出た再生空気は経路１２６を経て加熱器２２０に流入し冷凍機の凝縮熱によって加熱され６０〜８０℃まで温度上昇し、相対湿度が低下する。相対湿度が低下した再生空気はデシカントロータ１０３を通過してデシカントロータの水分を除去する。デシカントロータ１０３を通過した再生空気は経路１２９を経て顕熱熱交換器１２１に流入し、再生前の再生空気の余熱を行ったのち経路１３０を経て排気として外部に捨てられる。
【０００６】
これまでの過程をモリエル線図を用いて説明すると、図１３において、空調される室内１０１の空気（処理空気：状態Ｋ）は経路１０７を経て送風機１０２に吸引され昇圧されて経路１０８をへてデシカントロータ１０３に送られデシカントロータの吸湿剤で空気中の水分を吸着され絶対湿度が低下するとともに吸着熱によって空気は温度上昇する（状態Ｌ）。湿度が下がり温度上昇した空気は経路１０９を経て顕熱熱交換器１０４に送られ外気（再生空気）と熱交換して冷却される（状態Ｍ）。冷却された空気は経路１１０を経て冷却器２４０に送られ冷凍機の作用によって冷却され（状態Ｎ）、経路１１２を経て加湿器１０５に送られ水噴射または気化式加湿によって等エンタルピ過程で温度低下し（状態Ｐ）、経路１１３を経て空調空間１０１に戻される。このようにして室内の還気（Ｋ）と給気（Ｐ）との間にはエンタルピ差ΔＱが生じ、これによって空調空間１０１の冷房が行われる。
【０００７】
デシカントの再生は次のように行われる。外気（ＯＡ：状態Ｑ）は経路１２４を経て送風機１４０に吸引され昇圧されて顕熱熱交換器１０４に送られ、処理空気を冷却して自らは温度上昇し（Ｒ）経路１２５を経て次の顕熱熱交換器１２１に流入し、再生後の高温の空気と熱交換して温度上昇する（状態Ｓ）。さらに顕熱熱交換器１２１を出た再生空気は経路１２６を経て加熱器２２０に流入しヒートポンプの凝縮熱によって加熱され６０〜８０℃まで温度上昇し、相対湿度が低下する（状態Ｔ）。相対湿度が低下した再生空気はデシカントロータ１０３を通過してデシカントロータの水分を除去する（状態Ｕ）。デシカントロータ１０３を通過した再生空気は経路１２９を経て顕熱熱交換器１２１に流入し、再生前の再生空気の余熱を行って自らは温度低下した（状態Ｖ）のち経路１３０を経て排気として外部に捨てられる。このようにしてデシカントの再生と処理空気の除湿、冷却をくりかえし行うことによって、デシカントによる空調が行われていた。
【０００８】
このように構成されたデシカント空調では、組み合わされる蒸気圧縮冷凍サイクルには８０℃程度の凝縮温度と１０℃程度の蒸発温度が要求される。近年になって蒸気圧縮冷凍サイクルの冷媒に従来のフロン系を使用せず自然環境に対する影響が少ないアンモニア等の自然冷媒を使用することが望まれるとともに、夏期の日中には圧縮機を停止しても冷房が行えるような所謂蓄熱機能が求められるようになったが、冷凍サイクルの冷媒にアンモニアを使用してこのような凝縮温度を達成しようとすると圧力が４２ｋｇ／ｃｍ2 にもなって異常に高くなり、装置が高価になる欠点があり、また蓄熱機能を持たせようとすると、１０℃程度の低温と８０℃程度の高温の両方の温度の蓄熱槽が必要となり、設備が極めて複雑で高価なものになる欠点があることが判った。
【０００９】
【発明が解決しようとする課題】
本発明は前述した点に鑑みてなされたもので、ヒートポンプの作動圧力を下げて、かつ冷却作用および加熱作用の両方の作用を吸収媒体の濃度ポテンシャルの形態で蓄熱するとともに、蓄熱運転と、蓄熱を保持しつつ冷房を行う運転と、蓄熱を消費して冷房を行う運転と、全く蓄熱を使わずに冷房を行う運転とを選択的に切り換えて運転可能にすることによって、作動範囲が広く、信頼性が高く、かつ安価な蓄熱機能を備えたヒートポンプを提供することを目的とする。
【００１０】
【課題を解決するための手段】
本発明によれば、吸収器と再生器と圧縮機とを有し、吸収器と再生器との間を循環する吸収媒体の経路および再生器の冷媒蒸気を圧縮機で圧縮して吸収器に移送する冷媒の経路を有し、前記再生器の冷却作用を外部に取り出す熱媒体と熱交換関係にある蒸発器を設け、前記再生器内の吸収媒体と熱交換関係にある凝縮器を設け、前記圧縮機で圧縮した冷媒蒸気を該凝縮器に導き凝縮した冷媒を貯蔵する冷媒貯蔵空間を設け、再生器で濃縮した吸収媒体を貯蔵する吸収媒体貯蔵空間を設け、前記蒸発器の冷媒空間を前記冷媒貯蔵空間および前記吸収器に接続したヒートポンプにおいて、圧縮機を運転して前記再生器の冷媒蒸気を圧縮して前記凝縮器で冷媒を凝縮させることによって吸収媒体を濃縮して吸収媒体濃度を増加させるとともに濃縮した吸収媒体を前記吸収媒体貯蔵空間に貯蔵し、かつ凝縮した冷媒を前記冷媒貯蔵空間に貯蔵する第１の運転モードと、圧縮機を運転して前記再生器の冷媒蒸気を圧縮して前記凝縮器で冷媒を凝縮させることによって前記再生器内の吸収媒体を濃縮して吸収媒体濃度を増加させるとともに、前記蒸発器で冷媒を蒸発させて蒸発した冷媒を前記吸収器で吸収させる第２の運転モードと、圧縮機を停止して前記蒸発器で冷媒を蒸発させて蒸発した冷媒を前記吸収器で吸収させる第３の運転モードと、圧縮機を運転して前記再生器の冷媒蒸気を圧縮して前記吸収器で吸収させる第４の運転モードの４種類の運転モードとを備え、各々の運転モードを選択的に切換可能に構成してある。
【００１１】
本発明によれば、冷媒蒸気を吸収媒体で吸収する吸収器と冷媒蒸気を吸収媒体から分離する再生器と冷媒蒸気を圧縮する圧縮機を有し、該吸収器と該再生器との間を循環する吸収媒体の循環経路および再生器の冷媒蒸気を圧縮機で圧縮して吸収器に移送する冷媒の経路を有し、前記再生器の冷却作用を外部に取り出す熱媒体と熱交換関係にある蒸発器を設け、さらに前記再生器内の吸収媒体と熱交換関係にある凝縮器を設け、さらに前記圧縮機で圧縮した冷媒蒸気を該凝縮器に導き凝縮した冷媒を貯蔵する冷媒貯蔵空間を設け該冷媒貯蔵空間を前記蒸発器と接続し、さらに再生器で濃縮した吸収媒体を貯蔵する吸収媒体貯蔵空間を設け該吸収媒体貯蔵空間を前記発生器および吸収媒体の循環経路と接続し、さらに前記蒸発器の冷媒空間を前記冷媒貯蔵空間および前記吸収器に接続したヒートポンプにおいて、圧縮機を運転して前記再生器の冷媒蒸気を圧縮して前記凝縮器で冷媒を凝縮させることによって吸収媒体を濃縮して吸収媒体濃度を増加させるとともに濃縮した吸収媒体を前記吸収媒体貯蔵空間に貯蔵し、かつ凝縮した冷媒を前記冷媒貯蔵空間に貯蔵する第１の運転モードと、圧縮機を運転して前記再生器の冷媒蒸気を圧縮して前記凝縮器で冷媒を凝縮させることによって前記再生器内の吸収媒体を濃縮して吸収媒体濃度を増加させるとともに、前記蒸発器で冷媒を蒸発させて蒸発した冷媒を前記吸収器で吸収させる第２の運転モードと、圧縮機を停止して前記蒸発器で冷媒を蒸発させて蒸発した冷媒を前記吸収器で吸収させる第３の運転モードと、圧縮機を運転して前記再生器の冷媒蒸気を圧縮して前記吸収器で吸収させる第４の運転モードの４種類の運転モードとを備え、各々の運転モードを選択的に切換可能に構成してある。
【００１２】
本発明によれば、冷媒蒸気を吸収媒体で吸収し吸収熱で温熱媒体を加熱する吸収器と再生熱を冷熱媒体から奪って冷媒蒸気を吸収媒体から分離する再生器と冷媒蒸気を圧縮する圧縮機を有し、該吸収器と該再生器との間を循環する吸収媒体の循環経路および再生器の冷媒蒸気を圧縮機で圧縮して吸収器に移送する冷媒の経路を有し、前記再生器の冷却作用を外部に取り出す冷熱媒体の経路を流動するものと同じ冷熱媒体と熱交換関係にある蒸発器を設け、前記冷熱媒体が前記再生器または該蒸発器を選択的に流動できるよう冷熱媒体の経路を開閉弁を介してヒートポンプ外部との冷熱媒体の接続口と接続し、前記再生器内の吸収媒体と熱交換関係にある凝縮器を設け、該凝縮器には前記圧縮機で圧縮した冷媒蒸気を分岐して導く経路と凝縮器で凝縮した冷媒を前記冷媒貯蔵空間に導く経路を設け、該冷媒貯蔵空間を前記蒸発器と接続し、さらに再生器で濃縮した吸収媒体を貯蔵する吸収媒体貯蔵空間を設け該吸収媒体貯蔵空間を前記発生器と接続し、前記吸収媒体貯蔵空間を再生器を出た吸収媒体の循環経路と開閉弁を介して接続し、前記蒸発器の冷媒空間を前記吸収器に接続するよう構成したヒートポンプにおいて、圧縮機を運転して前記再生器の冷媒蒸気を圧縮して前記凝縮器で冷媒を凝縮させることによって吸収媒体を濃縮して吸収媒体濃度を増加させるとともに濃縮した吸収媒体を前記吸収媒体貯蔵空間に貯蔵し、かつ凝縮した冷媒を前記冷媒貯蔵空間に貯蔵する第１の運転モードと、圧縮機を運転して前記再生器の冷媒蒸気を圧縮して前記凝縮器で冷媒を凝縮させることによって前記再生器内の吸収媒体を濃縮して吸収媒体濃度を増加させるとともに、前記蒸発器で冷媒を蒸発させて蒸発した冷媒を前記吸収器で吸収させる第２の運転モードと、圧縮機を停止して前記蒸発器で冷媒を蒸発させて蒸発した冷媒を前記吸収器で吸収させる第３の運転モードと、圧縮機を運転して前記再生器の冷媒蒸気を圧縮して前記吸収器で吸収させる第４の運転モードの４種類の運転モードとを備え、各々の運転モードを選択的に切換可能に構成してある。
【００１３】
したがって、冷媒とともに吸収媒体を使用するため、ヒートポンプの作動圧力が下がるとともに、吸収媒体と冷媒を貯蔵することによって、冷却作用および加熱作用の両方を吸収媒体の濃度ポテンシャルの形態で蓄熱し、また蓄熱を取り出す際には冷却作用および加熱作用の両方の作用として同時に取り出すことができ、蓄熱を行う蓄熱運転と、蓄熱を保持しつつ冷房を行う運転と、蓄熱を消費して冷房を行う運転と、全く蓄熱を使わずに冷房を行う運転とを選択的に切り換えて運転可能にすることことによって、作動範囲が広く、信頼性が高く、かつ安価な蓄熱機能を備えたヒートポンプおよびデシカント空調システムを提供することができ、さらに水アンモニア系の吸収作動媒体などの自然冷媒も使用可能となるため、環境に対する影響が少ないヒートポンプを提供することができる。特に本発明のヒートポンプはデシカント空調システムに対して好適に組合せることができる。
【００１４】
【発明の実施の形態】
以下、本発明に係るヒートポンプの一実施例を図１乃至図３を参照して説明する。
【００１５】
図１は本発明を実施したヒートポンプの基本構成を示す図であり、図２は図１のヒートポンプと組合わせるデシカント空調機の基本構成を示す図である。図１において、本発明を実施したヒートポンプは冷媒蒸気を吸収媒体で吸収し吸収熱で伝熱管３０を介して温熱媒体（温水）を加熱する吸収器１と再生熱を伝熱管３２を介して冷熱媒体（冷水）から奪って冷媒蒸気を吸収媒体から分離する再生器２と吸収媒体の熱交換器５と冷媒蒸気を圧縮する圧縮機７を有し、該吸収器１と該再生器２との間を循環する吸収媒体の循環経路２１、２２、２３、２４、２５、２６および再生器２の冷媒蒸気を圧縮機７で圧縮して吸収器に移送する冷媒の経路４０、４１、４２及び該経路の途中に調節弁５５を有するヒートポンプで、前記再生器２の冷却作用を伝熱管３２を介して外部に取り出す冷熱媒体の経路６２、６３を流動するものと同じ冷熱媒体と伝熱管３１を介して熱交換関係にある蒸発器３を設け、さらに前記冷熱媒体が前記再生器２または該蒸発器３を選択的に流動できるよう冷熱媒体の経路６２、６３を開閉弁７０、７１を介して、また経路６７、６８を開閉弁７２、７３および経路６４、６５を介して冷熱媒体の接続口６０、６１と接続し、さらに前記再生器２内の吸収媒体と熱交換関係にある凝縮器４を設け、さらに該凝縮器４には前記圧縮機７で圧縮した冷媒蒸気を経路４１から開閉弁５６によって分岐して導く経路４３と凝縮器４で凝縮した冷媒を前記冷媒貯蔵空間１４に導く経路４４を設け、さらに該冷媒貯蔵空間１４を前記蒸発器３と冷媒経路４５、弁５２、冷媒経路４６を介して接続し、さらに再生器２で濃縮した吸収媒体を貯蔵する吸収媒体貯蔵空間１２を設け該吸収媒体貯蔵空間１２を前記発生器２と経路２７、開閉弁５１、経路２８を介して接続し、さらに前記吸収媒体貯蔵空間１２と再生器２を出た吸収媒体の循環経路２１と経路２９、３方弁５０を介して接続し、さらに前記蒸発器３の冷媒空間を前記吸収器１に経路４７を介して接続し、さらに前記再生器には圧力検出器９１を設け、該検出器９１の検出信号により前記調節弁５５を開閉して前記再生器の圧力を設定値に保つ制御機構９０を有するするよう構成したものである。
【００１６】
このように構成された図１のヒートポンプからは冷熱媒体（冷水）と温熱媒体（温水）が、それぞれ冷水経路の出入口６０、６１、温水経路の出入口８０、８１を介して図２に示すデシカント空調機と接続され、循環するよう構成する。
【００１７】
図２のデシカント空調機は以下に示すよう構成されている。空調空間１０１は処理空気の送風機１０２の吸い込み口と経路１０７を介して接続し、送風機１０２の吐出口はデシカントロータ１０３と経路１０８を介して接続し、デシカントロータ１０３の処理空気の出口は再生空気と熱交換関係にある顕熱熱交換器１０４と経路１０９を介して接続し、顕熱熱交換器１０４の処理空気の出口は冷水熱交換器１１５と経路１１０を介して接続し、冷水熱交換器１１５の処理空気の出口は加湿器１０５と経路１１９を介して接続し、加湿器１０５の処理空気の出口は空調空間１０１と経路１１１を介して接続して処理空気のサイクルを形成する。
【００１８】
一方、再生用の空気経路は、外気を再生空気用の送風機１４０の吸い込み口と経路１２４を介して接続し、送風機１４０の吐出口は処理空気と熱交換関係にある顕熱熱交換器１０４と接続し、顕熱熱交換器１０４の再生空気の出口は別の顕熱熱交換器１２１の低温側入口と経路１２５を介して接続し、顕熱熱交換器１２１の低温側出口は温水熱交換器１２０と経路１２６を介して接続し、温水熱交換器１２０の再生空気の出口はデシカントロータ１０３の再生空気入口と経路１２７を介して接続し、デシカントロータ１０３の再生空気の出口は顕熱熱交換器１２１の高温側入口と経路１２８を介して接続し、顕熱熱交換器１２１の高温側出口は外部空間と経路１２９を介して接続して再生空気を外部から取り入れて、外部に排気するサイクルを形成する。前記温水熱交換器１２０の温水入口は経路１２２を介してヒートポンプの温水経路の出口８１に接続し、温水熱交換器１２０の温水出口は経路１２３および温水ポンプ１５０を介してヒートポンプの温水経路の入口８０に接続する。また前記冷水熱交換器１１５の冷水入口は経路１１７を介してヒートポンプの冷水経路の出口６１に接続し、冷水熱交換器１１５の冷水出口は経路１１８およびポンプ１６０を介してヒートポンプの冷水経路の入口６０に接続するよう構成する。なお図中、丸で囲ったアルファベットＫ〜Ｖは、図１３と対応する空気の状態を示す記号であり、ＳＡは給気を、ＲＡは還気を、ＰＡは外気を、ＥＸは排気を表わす。
【００１９】
本発明によれば、このように構成した図１のヒートポンプを図３に示すような第１乃至第４の４種類の運転モードによって、それぞれ選択的に切り換え可能に構成したものである。図３において、第１の運転モードでは、圧縮機７を運転して前記再生器２の冷媒蒸気を圧縮して前記凝縮器４で冷媒を凝縮させることによって吸収媒体を濃縮して吸収媒体濃度を増加させるとともに濃縮した吸収媒体を前記吸収媒体貯蔵空間１２に貯蔵し、かつ凝縮した冷媒を前記冷媒貯蔵空間１４に貯蔵するよう構成し、さらに第２の運転モードでは、圧縮機を運転して前記再生器の冷媒蒸気を圧縮して前記凝縮器で冷媒を凝縮させることによって前記再生器内の吸収媒体を濃縮して吸収媒体濃度を増加させるとともに、前記蒸発器で冷媒を蒸発させて蒸発した冷媒を前記吸収器で吸収させるよう構成し、さらに第３の運転モードでは、圧縮機を停止して前記蒸発器で冷媒を蒸発させて蒸発した冷媒を前記吸収器で吸収させるよう構成し、さらに第４の運転モードでは圧縮機を運転して前記再生器の冷媒蒸気を圧縮して前記吸収器で吸収させるよう構成し、そして各々の運転モードを後述のように選択的に切換可能に構成するものである。
【００２０】
次に本実施例の作用について以下に説明する。
【００２１】
まず、第１の運転モードにより蓄熱運転を行う場合の運転形態と作用について説明する。このような運転は一般的には夏期に深夜電力を使用して日中の冷房負荷の一部を賄うための冷房能力の備蓄として行うものである。第１の運転モードでは、ヒートポンプは図４のように設定して運転する。図４において、開閉弁５６は開いており、経路４１と経路４３は連通する。調節弁５５は制御機構９０の作用によって再生器２の圧力を設定値に保つよう制御され、さらに開閉弁５１は開いており、吸収媒体貯蔵空間１２と再生器２は連通している。弁５２は閉じており、冷媒貯蔵空間１４と蒸発器３は連通していない。開閉弁７２、７３は閉じており、蒸発器３には冷熱媒体（冷水）は流動していない。開閉弁７０、７１は閉じており、再生器２には冷熱媒体（冷水）は流動していない。３方弁５０は経路２１方向が閉じており、再生器２と吸収媒体経路２２は直接連通していない。また空調機では図２において送風機１０２は停止して空調空間への給気は停止する。送風機１４０は運転してデシカントの再生ができるよう送風を続ける。冷水は停止し温水のみ運転する。ヒートポンプの圧縮機７と溶液ポンプ６を運転する。
【００２２】
このように設定されたヒートポンプの作用について説明すると、図４において圧縮機７を運転すると、再生器２内の吸収媒体から冷媒蒸気が発生し、冷媒は圧縮されて経路４１、４３を経て再生器２と熱交換関係にある凝縮器４に流入する。冷媒は凝縮器４で熱を再生器２の吸収媒体に奪われて凝縮する。このとき前記の再生器２内の吸収媒体から冷媒蒸気が発生する際の再生熱は冷媒の凝縮熱によって賄われるが、再生熱よりも凝縮熱の方が圧縮機の動力が加わるため一般に大きく、そのため再生器２内の吸収媒体温度及び圧力は上昇傾向になる。しかし圧力検出器９１と、制御機構９０と調節弁５５の作用によって、再生器２内の吸収媒体の圧力が上昇すると、調節弁５５が開き、吸収器１に冷媒蒸気を送って過剰な蒸気を吸収器１で吸収させ、また再生器２内の吸収媒体の圧力が下がると、調節弁５５が閉じ、吸収器１に送る冷媒蒸気絞って冷媒蒸気を再生器２に保持するよう作用するので、再生器２の圧力は設定値に保つことができる。
【００２３】
吸収器１に送られた冷媒蒸気は吸収媒体に吸収され、吸収熱は吸収媒体と温熱媒体が伝熱管３０を介して熱交換して冷却される。この時温水は吸収媒体の冷却によって自らは加熱され温度上昇するが、その熱は図２における空調機の送風機１４０の作用によってもたらされる外気と温水熱交換器１２０で熱交換し、再生空気に放熱される。この時、デシカントロータ１０３は気温が上昇し相対湿度が低下した再生空気によって再生作用を受ける。凝縮した冷媒は経路４４を経て冷媒貯蔵空間１４に導かれ貯蔵される。
【００２４】
また吸収媒体は再生器２で濃縮されたのち再生器２から経路２７、開閉弁５１、経路２８を経て吸収媒体貯蔵空間１２を経由し、経路２９を経て吸収媒体の経路２２を経てポンプ６に流入し、ポンプ６の作用によって経路２３を経て熱交換器５で吸収器１から戻る吸収媒体と熱交換した後経路２４を経て吸収器１に流入し圧縮機７からの一部の冷媒を吸収してわずかに希釈されたのち経路２５、熱交換器５、経路２６を経て再生器２に還流し循環経路を循環する。このような運転形態では、一部の冷媒は吸収器１で冷媒を吸収して吸収媒体を希釈するが、大部分の冷媒は同じ吸収媒体から分離されて凝縮器４に流入して凝縮されるため、全体としては吸収媒体の濃縮が進んで、冷媒が冷媒貯蔵空間１４に十分貯蔵された時点でこの第１の運転モードでの運転を停止し、次のモードに移行する。
【００２５】
これまでの吸収媒体の濃縮による蓄熱の過程を図５を用いて説明する。図５は吸収媒体濃縮の過程を示すデューリング線図である。図５において、再生器２中の吸収媒体はＣの状態にあり、圧縮機の作用によって、冷媒蒸気（状態Ｅ）が分離される。分離された冷媒は圧縮されて（状態Ｆ）大部分は凝縮器４に送られ凝縮し（状態Ｇ）残りの一部は調節弁５５を経て減圧され吸収器１に送られて吸収媒体に吸収される（状態Ａ）。吸収媒体経路を循環する吸収媒体は、再生器２を出て（状態Ｃ）熱交換器で加熱され（状態Ｄ）、吸収器１に流入し冷媒蒸気を吸収した後（状態Ａ）、熱交換器で冷却され（状態Ｂ）、再び再生器に戻る。
【００２６】
凝縮の際の凝縮熱は再生器２内の吸収媒体を加熱して、再生熱を賄う。また吸収の際の吸収熱は温水によって冷却され（図中では８０℃）て空調機に移送されデシカントの再生に使用する。なおこの運転形態では冷水は製造されず前記のごとく、温水を製造してデシカントの再生空気の加熱に使用し、その際温水は冷却されてヒートポンプに還流する。第１の運転モードが終了した時点で、凝縮した冷媒（状態Ｇ）と濃縮した吸収媒体（状態Ｃ）がそれぞれ貯蔵空間に貯蔵される。
【００２７】
このようにして吸収媒体から冷媒を分離し濃度ポテンシャルの形態で貯蔵することで、蓄熱作用すなわち冷房作用の備蓄作用が得られることは第３の運転モードで示す運転形態で改めて説明する。また本運転形態では温水によるデシカントの再生作用のみ行う。この作用について以下に説明する。
【００２８】
図２において、空調機には経路８１を経由して温水がヒートポンプから流入する。本運転形態では、送風機１４０の作用によって、外気が経路１２４を経て取り入れられ、顕熱熱交換器１０４に流入するが、顕熱熱交換器１０４は空調空間を循環する処理空気系統が停止しているため作用せず、従って温度変化せずに経路１２５を経て別の顕熱熱交換器１２１に流入し、デシカント再生後の再生空気と熱交換して温度上昇した後経路１２６を経て温水熱交換器１２０に流入し、ここで温水によって加熱されて温度上昇して相対湿度が低下する。温水熱交換器１２０を出て相対湿度が低下した再生空気はデシカントロータ１０３を通過して、デシカントロータの水分を除去し再生作用をする。デシカントロータ１０３を通過した再生空気は経路１２８を経て顕熱熱交換器１２１に流入し再生空気を余熱した後、経路１２９をへて外部に排気される。
【００２９】
このようにして本発明によれば、第１の運転モードすなわち蓄熱運転中に、停止している空調機のデシカントの再生も同時行うことができる。蓄熱運転は通常深夜に行われ、夏期の深夜は気温の低下によって相対湿度が上昇することが多く、従ってデシカントがこのような外気に触れた状態で放置されるとデシカントが水分を吸着してしまい翌日朝の冷房開始時の能力が不足する可能性があるが、このようにしてデシカントの再生を深夜蓄熱と同時に行っておくことは、翌日の運転開始時に円滑に能力発揮する上で効果がある。
【００３０】
次に、第２の運転モードにより蓄熱を併用して蓄熱を保持しつつ冷房運転を行う場合の運転形態と作用について説明する。このような運転は深夜電力を使用して蓄熱を終えた後、日中の本格的冷房運転に備えて蓄熱をあまり使用せずに、冷房運転を行うためのものである。通常冷房負荷は正午から午後４時にかけての時間帯が最も負荷が大きく、該時間帯に集中的に蓄熱を使用することが有効であるため、それまでの時間帯は本運転モードで運転することが全体として効果を発揮する。
【００３１】
第２の運転モードでは、ヒートポンプは図６のように設定して運転する。図６において、開閉弁５６は開いており、経路４１と経路４３は連通する。調節弁５５は制御機構９０の作用によって再生器２の圧力を設定値に保つよう制御され、開閉弁５１は開いており、吸収媒体貯蔵空間１２と再生器２は連通している。弁５２は開いており、冷媒貯蔵空間１４から蒸発器３に冷媒が送られる。さらに開閉弁７２、７３は開いており、蒸発器３には冷熱媒体（冷水）が通水される。開閉弁７０、７１は閉じており、再生器２には冷熱媒体（冷水）は流動しない。３方弁５０は経路２１方向が閉じており、再生器２と吸収媒体経路２２は直接連通していない。ヒートポンプの圧縮機７と溶液ポンプ６を運転し、また空調機を運転する。
【００３２】
このように設定されたヒートポンプの作用について説明すると、図６において圧縮機７を運転すると、再生器２内の吸収媒体から冷媒蒸気が発生し、冷媒は圧縮されて経路４１、４３を経て再生器２と熱交換関係にある凝縮器４に流入する。冷媒は凝縮器４で熱を再生器２の吸収媒体に奪われて凝縮する。このとき前記の再生器２内の吸収媒体から冷媒蒸気が発生する際の再生熱は冷媒の凝縮熱によって賄われるが、再生熱よりも凝縮熱の方が圧縮機の動力が加わるため一般に大きく、そのため再生器２内の吸収媒体温度及び圧力は上昇傾向になる。しかし圧力検出器９１および、制御機構９０、調節弁５５の作用によって、再生器２内の吸収媒体の圧力が上昇すると、調節弁５５が開き、吸収器１に冷媒蒸気を送って過剰な蒸気を吸収器１で吸収させ、また再生器２内の吸収媒体の圧力が下がると、調節弁５５が閉じ、吸収器１に送る冷媒蒸気絞って冷媒蒸気を再生器２に保持するよう作用するので再生器２の圧力は設定値に保つことができる。
【００３３】
この運転形態ではまた別の冷媒の流動が存在する。蒸発器３には、冷媒貯蔵空間１４から冷媒が供給され（弁５２には温度式膨張弁やフロート弁等の流量調節機構を装着しても差し支えない）、また蒸発器３では吸収器１からの冷媒蒸気の吸引作用を受けて冷媒が蒸発する。その際、冷水は伝熱管３１を介して冷媒に蒸発熱を奪われて冷却される。蒸発器３で蒸発した冷媒は経路４７を経て吸収器に流入し吸収される。吸収器１では、蒸発器３から経路４７を経て流入した冷媒と再生器２から圧縮機７により圧縮されて経路４２を経て流入した冷媒が吸収媒体に吸収され、吸収熱は吸収媒体と温熱媒体（温水）が伝熱管３０を介して熱交換して冷却される。この時温水は吸収媒体を冷却することによって自らは加熱され温度上昇するが、その熱は図２における空調機の送風機１４０の作用によってもたらされる再生空気と温水熱交換器１２０において熱交換し、再生空気の加熱に使用される。
【００３４】
圧縮機７で圧縮され凝縮器４で凝縮した冷媒は経路４４を経て冷媒貯蔵空間１４に導かれる。また吸収媒体は再生器２から経路２７、開閉弁５１、経路２８を経て吸収媒体貯蔵空間１２を経由し、経路２９を経て吸収媒体の経路２２を経てポンプ６に流入し、ポンプ６の作用によって経路２３を経て熱交換器５で吸収器１から戻る吸収媒体と熱交換した後経路２４を経て吸収器１に流入し圧縮機７と蒸発器３からの冷媒を吸収して希釈されたのち経路２５、熱交換器５、経路２６を経て再生器２に還流し循環経路を循環する。
【００３５】
これまでの第２の運転モードの運転形態におけるヒートポンプの作用の過程を図７を用いて説明する。図７はヒートポンプの作用の過程を示すデューリング線図である。図７において再生器２中の吸収媒体はＣの状態にあり、圧縮機の作用によって、冷媒蒸気（状態Ｅ）が分離される。分離された冷媒は圧縮されて（状態Ｆ）大部分は凝縮器４に送られ凝縮し（状態Ｇ）残りの一部は調節弁５５を経て減圧され吸収器１に送られて吸収媒体に吸収される（状態Ａ）が、この圧縮機による作用は前記の蓄熱運転と同じサイクルによる運転で、吸収媒体は再生器２において濃縮作用を受ける。また蒸発器３では吸収器１からの冷媒蒸気の吸引作用を受けて冷媒が蒸発する（状態Ｈ）。
【００３６】
蒸発した冷媒は経路４７を経て吸収器に流入し吸収され（状態Ａ）、この吸収器による作用は公知の吸収冷凍サイクルによる作用と同じ運転で、吸収器では吸収媒体は希釈作用を受ける。蒸発器では蒸発の際には蒸発熱を冷水から奪うことによって冷水を冷却する。冷却した冷水は空調機に移送され処理空気の冷却冷却に使用する。吸収媒体経路を循環する吸収媒体は、再生器２を出て（状態Ｃ）熱交換器で加熱され（状態Ｄ）、吸収器１に流入し圧縮機から来る冷媒蒸気と蒸発器から来る冷媒蒸気を同時に吸収した後（状態Ａ）、熱交換器で冷却され（状態Ｂ）、再び再生器に戻る。また吸収の際の吸収熱は温水によって冷却され（図中では８０℃）て空調機に移送されデシカントの再生に使用する。このように第２の運転モードによって、ヒートポンプでは、吸収媒体の濃縮と希釈を同時に行いながら冷水の冷却と、温水の加熱を同時に行うことができる。
【００３７】
このようにしてヒートポンプでできた冷温水は空調機に送られ次のようにして冷房作用を行う。図２において、空調される室内１０１の空気（処理空気）は経路１０７を経て送風機１０２に吸引され昇圧されて経路１０８をへてデシカントロータ１０３に送られデシカントロータの吸湿剤で空気中の水分を吸着され絶対湿度が低下する。また吸着の際、吸着熱によって空気は温度上昇する。湿度が下がり温度上昇した空気は経路１０９を経て顕熱熱交換器１０４に送られ外気（再生空気）と熱交換して冷却される。冷却された空気は経路１１０を経て冷水熱交換器１１５に送られさらに冷却される。冷却された処理空気は加湿器１０５に送られ水噴射または気化式加湿によって等エンタルピ過程で温度低下し経路１１１を経て空調空間１０１に戻される。
【００３８】
デシカントロータはこの過程で水分を吸着したため、再生が必要で、この実施例では外気を再生用空気として用いて次のように行われる。外気（ＯＡ）は経路１２４を経て送風機１４０に吸引され昇圧されて顕熱熱交換器１０４に送られ、処理空気を冷却して自らは温度上昇し経路１２５を経て次の顕熱熱交換器１２１に流入し、再生後の高温の空気と熱交換して温度上昇する。さらに顕熱熱交換器１２１を出た再生空気は経路１２６を経て温水熱交換器１２０に流入し温水によって加熱され６０〜８０℃まで温度上昇し、相対湿度が低下する。温水熱交換器１２０を出て相対湿度が低下した再生空気はデシカントロータ１０３を通過してデシカントロータの水分を除去し再生作用をする。デシカントロータ１０３を通過した再生空気は経路１２８を経て顕熱熱交換器１２１に流入し、再生前の再生空気の余熱を行ったのち経路１２９を経て排気として外部に捨てられる。
【００３９】
このようにして、本発明のヒートポンプをデシカント空調機と組合わせることによって、通常の冷房運転を行うことができる。なおこのようなデシカント空調機の作用は図１２において示した従来例と同様で冷却、加熱の熱源が、冷媒の代りに冷水、温水から伝達される点のみが異なっており、従って図１３のモリエル線図が適用できるため、モリエル線図上による作用の説明は省略する。
【００４０】
このようにして第２の運転モードによれば、吸収媒体の濃縮と希釈を同時に行いながら冷房運転ができるため、蓄熱運転で貯蔵した吸収媒体の濃度をなるべく希釈しない様にすることができ、従って蓄熱を保持しながら冷房運転を行うことができる。なおこの第２の運転モードにおいては、吸収媒体の貯蔵空間１２にはすでに十分な吸収能力を持った吸収媒体が第１の運転モードで製造貯蔵されているので、万一過大な冷房負荷が加わった場合には、蒸発器に送る冷媒量を増加させることによって冷凍効果を増やしてこのような冷房負荷に対応することもできる。この場合には吸収器による希釈作用が圧縮機による濃縮作用を上回り、従って貯蔵していた濃縮された吸収媒体を希釈しつつ過大な冷房負荷に対応した運転を行う運転形態となる。このように本運転モードは吸収媒体の濃度を一定に保つことを目的としておらず、希釈を遅らせる運転形態をも含むものである。
【００４１】
次に、第３の運転モードにより蓄熱を消費して圧縮機を運転することなく冷房運転を行う場合の運転形態と作用について説明する。このような運転は、日中の電力のピークカットとして、圧縮機の動力を切って冷房運転を行うためのものである。通常冷房負荷は正午から午後４時にかけての時間帯が最も負荷が大きく、該時間帯に集中的に蓄熱を使用することが有効であるため、本運転モードで運転することが効果を発揮する。
【００４２】
第３の運転モードでは、ヒートポンプは図８のように設定して運転する。図８において、開閉弁５６は閉じており、経路４１と経路４３は連通しない。さらに、調節弁５５は制御機構９０の作用を切って完全に閉じており、さらに開閉弁５１は開いており、吸収媒体貯蔵空間１２と再生器２は連通している。さらに弁５２は開いており、冷媒貯蔵空間１４から蒸発器３に冷媒が送られる。さらに開閉弁７２、７３は開いており、蒸発器３には冷熱媒体（冷水）が通水される。さらに開閉弁７０、７１は閉じており、再生器２には冷熱媒体（冷水）は流動しない。さらに３方弁５０は経路２１方向が閉じており、再生器２と吸収媒体経路２２は直接連通していない。さらにヒートポンプの圧縮機７は停止し、溶液ポンプ６は運転し、また空調機は運転する。
【００４３】
このように設定されたヒートポンプの作用について説明すると、図８において蒸発器３には、冷媒貯蔵空間１４から冷媒が供給され（弁５２には温度式膨張弁やフロート弁等の流量調節機構を装着しても差し支えない）、また蒸発器３では吸収器１からの冷媒蒸気の吸引作用を受けて冷媒が蒸発する。その際冷水は伝熱管３１を介して冷媒に蒸発熱を奪われて冷却される。蒸発器３で蒸発した冷媒は経路４７を経て吸収器に流入し吸収される。吸収器１では、蒸発器３から経路４７を経て流入した冷媒が吸収媒体に吸収され、吸収熱は吸収媒体と温水が伝熱管３０を介して熱交換して温水に伝達される。
【００４４】
この時温水は吸収媒体を冷却することによって自らは加熱され温度上昇するが、その熱は図２における空調機の送風機１４０の作用によってもたらされる再生空気と温水熱交換器１２０において熱交換し、再生空気の加熱に使用される。吸収媒体は再生器２から経路２７、開閉弁５１、経路２８を経て吸収媒体貯蔵空間１２を経由し、経路２９を経て吸収媒体の経路２２を経てポンプ６に流入し、ポンプ６の作用によって経路２３を経て熱交換器５で吸収器１から戻る吸収媒体と熱交換した後経路２４を経て吸収器１に流入し蒸発器３からの冷媒を吸収して希釈されたのち経路２５、熱交換器５、経路２６を経て再生器２に還流し循環経路を循環する。この場合再生器２では吸収媒体の濃縮作用は行われないので吸収媒体は再生器２を単に通過するのみである。希釈された吸収媒体は吸収媒体貯蔵空間１２に流入し、内部に貯蔵した吸収媒体を徐々に希釈する。
【００４５】
これまでの第３の運転モードの運転形態におけるヒートポンプの作用の過程を図９を用いて説明する。図９はヒートポンプの作用の過程を示すデューリング線図である。図９において吸収媒体貯蔵空間１２中の吸収媒体は通常この運転形態の開始時には十分に吸収能力を持ったＣの状態（図中では吸収媒体の冷媒濃度２０％）で貯蔵されている。この状態の吸収媒体（水アンモニア溶液）をポンプ６の作用によって吸収器１に送り、７５℃程度の温水と熱交換させると、冷媒（アンモニア）を１０℃程度で蒸発させることができる吸収作用が発生し、冷媒を吸収して（状態Ａ）自らは希釈され、再生器２を経て吸収媒体貯蔵空間１２に戻る。吸収媒体貯蔵空間１２には多量の吸収媒体を保有しているので吸収媒体は吸収器１から戻る吸収媒体によって徐々に希釈され、最終的に冷媒濃度が３０％まで希釈された時点で吸収温度が次第に低下し始めるまで運転を継続することができる。このように吸収媒体貯蔵空間１２と冷媒貯蔵空間１４に吸収媒体と冷媒を貯蔵することによって冷熱と温熱の蓄熱作用が得られる。
【００４６】
また蒸発器３では吸収器１からの冷媒蒸気の吸引作用を受けて冷媒が蒸発する（状態Ｈ）。蒸発した冷媒は経路４７を経て吸収器１に流入し吸収され（状態Ａ）、この吸収器による作用は公知の吸収冷凍サイクルによる作用と同じ運転で、吸収媒体は希釈作用を受ける。蒸発器では蒸発の際には蒸発熱を冷水から奪うことによって冷水を冷却する。冷却した冷水は空調機に移送され処理空気の冷却冷却に使用する。また吸収の際の吸収熱は温水によって冷却され（図中では８０℃）て空調機に移送されデシカントの再生に使用する。このように第３の運転モードによって、ヒートポンプでは、濃度ポテンシャルの形態で貯蔵した吸収媒体の作用によって、圧縮機を運転することなく冷水の冷却と温水の加熱の両方の作用を同時に行うことができる。
【００４７】
このようにしてヒートポンプでできた冷温水は空調機に送られ次のようにして冷房作用を行う。図２において、空調される室内１０１の空気（処理空気）は経路１０７を経て送風機１０２に吸引され昇圧されて経路１０８をへてデシカントロータ１０３に送られデシカントロータの吸湿剤で空気中の水分を吸着され絶対湿度が低下する。また吸着の際、吸着熱によって空気は温度上昇する。湿度が下がり温度上昇した空気は経路１０９を経て顕熱熱交換器１０４に送られ外気（再生空気）と熱交換して冷却される。冷却された空気は経路１１０を経て冷水熱交換器１１５に送られさらに冷却される。冷却された処理空気は加湿器１０５に送られ水噴射または気化式加湿によって等エンタルピ過程で温度低下し経路１１１を経て空調空間１０１に戻される。
【００４８】
デシカントロータはこの過程で水分を吸着したため、再生が必要で、この実施例では外気を再生用空気として用いて次のように行われる。外気（ＯＡ）は経路１２４を経て送風機１４０に吸引され昇圧されて顕熱熱交換器１０４に送られ、処理空気を冷却して自らは温度上昇し経路１２５を経て次の顕熱熱交換器１２１に流入し、再生後の高温の空気と熱交換して温度上昇する。さらに顕熱熱交換器１２１を出た再生空気は経路１２６を経て温水熱交換器１２０に流入し温水によって加熱され６０〜８０℃まで温度上昇し、相対湿度が低下する。温水熱交換器１２０を出て相対湿度が低下した再生空気はデシカントロータ１０３を通過してデシカントロータの水分を除去し再生作用をする。デシカントロータ１０３を通過した再生空気は経路１２８を経て顕熱熱交換器１２１に流入し、再生前の再生空気の余熱を行ったのち経路１２９を経て排気として外部に捨てられる。
【００４９】
このようにして、本発明のヒートポンプをデシカント空調機と組合わせることによって、通常の冷房運転を行うことができる。なおこのようなデシカント空調機の作用は図１２において示した従来例と同様で冷却、加熱の熱源が、冷媒の代りにから冷水、温水から伝達される点のみが異なっており、従って図１３のモリエル線図が適用できるため、モリエル線図上による作用の説明は省略する。
【００５０】
このようにして第３の運転モードによれば、貯蔵した吸収媒体の希釈を行いながら冷房運転ができるため、圧縮機を運転せずに冷房運転を行うことができる。
【００５１】
次に、第４の運転モードにより蓄熱を消費してしまった後に、或いは蓄熱を使用することなく冷房運転を行う場合の運転形態と作用について説明する。このような運転は日中の蓄熱による運転を終えた後、深夜電力による蓄熱運転の時間帯まで蓄熱せずに、冷房運転を行うためのものである。通常深夜電力は電力料金が安価であるが、使用できる時間帯は深夜に限られる。従って蓄熱を消費してしまった後、深夜電力料金が適用される時間までの間は蓄熱することなく空調負荷に対応して運転することが経済的であるため、その時間帯までは本運転モードで運転することが効果を発揮する。
【００５２】
第４の運転モードでは、ヒートポンプは図１０のように設定して運転する。図１０において、開閉弁５６は閉じており、経路４１と経路４３は連通しない。さらに、調節弁５５は制御機構９０の作用を切って調節弁５５は全開に設定し、さらに開閉弁５１は閉じており、吸収媒体貯蔵空間１２と再生器２は連通させない。さらに弁５２は閉じており、冷媒貯蔵空間１４に冷媒が貯蔵される。さらに開閉弁７２、７３は閉じており、蒸発器３には冷熱媒体（冷水）が通水されない。さらに開閉弁７０、７１は開いており、再生器２には冷熱媒体（冷水）が流動する。さらに３方弁５０は経路２１方向が開いており、再生器２と吸収媒体経路２２は直接連通する。さらにヒートポンプの圧縮機７と溶液ポンプ６を運転し、また空調機は運転する。
【００５３】
このように設定されたヒートポンプの作用について説明すると、図１０において圧縮機７を運転すると、再生器２内の吸収媒体から冷媒蒸気が発生し、冷媒は圧縮されて経路４１、４２を経て吸収器１に流入し吸収される。吸収器１では吸収媒体と温水が伝熱管３０を介して熱交換し吸収熱が冷却される。この時温水は吸収媒体を冷却することによって自らは加熱され温度上昇するが、その熱は図２における空調機の送風機１４０の作用によってもたらされる再生空気と温水熱交換器１２０において熱交換し、再生空気の加熱に使用される。
【００５４】
また吸収媒体は再生器２から経路２１、３方弁５０、経路２２を経てポンプ６に流入し、ポンプ６の作用によって経路２３を経て熱交換器５で吸収器１から戻る吸収媒体と熱交換した後経路２４を経て吸収器１に流入し圧縮機７からの冷媒を吸収して希釈されたのち経路２５、熱交換器５、経路２６を経て再生器２に還流し循環経路を循環する。再生器２では吸収媒体と冷水が伝熱管３２を介して熱交換して再生熱が伝達され吸収媒体を加熱する。この時冷水は吸収媒体を加熱することによって自らは冷却され温度上昇する。
【００５５】
これまでの第４の運転モードの運転形態におけるヒートポンプの作用の過程を図１１を用いて説明する。図１１はヒートポンプの作用の過程を示すデューリング線図である。図１１において再生器２中の吸収媒体はＣの状態にあり、圧縮機の作用によって、冷媒蒸気（状態Ｅ）が分離される。分離された冷媒は圧縮されて（状態Ｆ）吸収器１に送られて吸収媒体に吸収される（状態Ａ）。再生器２では再生の際には再生熱を冷水から奪うことによって冷水を冷却する（図中では１０℃）。冷却した冷水は空調機に移送され処理空気の冷却冷却に使用する。吸収媒体経路を循環する吸収媒体は、再生器２を出て（状態Ｃ）熱交換器で加熱され（状態Ｄ）、吸収器１に流入し圧縮機から来る冷媒蒸気吸収した後（状態Ａ）、熱交換器で冷却され（状態Ｂ）、再び再生器２に戻る。吸収の際の吸収熱は温水に伝達され（図中では８０℃）て空調機に移送されデシカントの再生に使用する。このように第４の運転モードによって、ヒートポンプでは、蓄熱を使用することなく冷水の冷却と、温水の加熱を同時に行うことができる。
【００５６】
なお前記第３の運転モードにおいて蓄熱が使用できなくなる吸収媒体濃度は冷媒濃度で３０％程度であり、一方この第４の運転モードにおける吸収媒体濃度は図１１によれば冷媒濃度で５０％程度であって作動する吸収媒体の濃度が異なる。このように実施例では異なった濃度で運転する設定を示したが、第４の運転モードにおいても第３の運転モードの運転完了時の濃度３０％程度で運転することも可能である。しかしこのような場合には、サイクル全体の作動圧力が低いため、圧縮機の吸い込み冷媒量（冷媒の吸込み体積）が不足し、冷凍能力が不足する可能性が生じる。
【００５７】
従って第３の運転モードから第４の運転モードに移行する際には吸収媒体を希釈することが望ましい。その際には系内の全ての吸収媒体を希釈してしまうと、深夜に第１の運転モードに移行する際に再度吸収媒体の濃縮が必要となった時、濃縮する吸収媒体の量が多くなり電力消費量が増えるため、この第４の運転モードでは、循環に必要な最低限の吸収媒体のみを希釈して、残りは第３の運転モードが終了した時点の吸収媒体濃度のままで、吸収媒体貯蔵空間１２に吸収媒体を貯蔵することが望ましい。そのため本実施例では、弁５１と３方弁５０によって、吸収媒体貯蔵空間１２に吸収媒体を貯蔵するよう設定した。また第３の運転モードから第４の運転モードに移行する際には吸収媒体を希釈するため、一時的に冷媒貯蔵空間１４と冷媒系路２２を結ぶ系路４７、４８中に設けられた弁５７を開くことによって、吸収媒体に冷媒を混合するよう構成しても差し支えない。
【００５８】
このようにしてヒートポンプでできた冷温水は空調機に送られ次のようにして冷房作用を行う。図２において、空調される室内１０１の空気（処理空気）は経路１０７を経て送風機１０２に吸引され昇圧されて経路１０８をへてデシカントロータ１０３に送られデシカントロータの吸湿剤で空気中の水分を吸着され絶対湿度が低下する。また吸着の際、吸着熱によって空気は温度上昇する。湿度が下がり温度上昇した空気は経路１０９を経て顕熱熱交換器１０４に送られ外気（再生空気）と熱交換して冷却される。冷却された空気は経路１１０を経て冷水熱交換器１１５に送られさらに冷却される。冷却された処理空気は加湿器１０５に送られ水噴射または気化式加湿によって等エンタルピ過程で温度低下し経路１１１を経て空調空間１０１に戻される。
【００５９】
デシカントロータはこの過程で水分を吸着したため、再生が必要で、この実施例では外気を再生用空気として用いて次のように行われる。外気（ＯＡ）は経路１２４を経て送風機１４０に吸引され昇圧されて顕熱熱交換器１０４に送られ、処理空気を冷却して自らは温度上昇し経路１２５を経て次の顕熱熱交換器１２１に流入し、再生後の高温の空気と熱交換して温度上昇する。さらに顕熱熱交換器１２１を出た再生空気は経路１２６を経て温水熱交換器１２０に流入し温水によって加熱され６０〜８０℃まで温度上昇し、相対湿度が低下する。温水熱交換器１２０を出て相対湿度が低下した再生空気はデシカントロータ１０３を通過してデシカントロータの水分を除去し再生作用をする。デシカントロータ１０３を通過した再生空気は経路１２８を経て顕熱熱交換器１２１に流入し、再生前の再生空気の余熱を行ったのち経路１２９を経て排気として外部に捨てられる。
【００６０】
このようにして、本発明のヒートポンプをデシカント空調機と組合わせることによって、通常の冷房運転を行うことができる。なおこのようなデシカント空調機の作用は図１２において示した従来例と同様で冷却、加熱の熱源が、冷媒の代りにから冷水、温水から伝達される点のみが異なっており、従って図１３のモリエル線図が適用できるため、モリエル線図上による作用の説明は省略する。
【００６１】
このようにして第４の運転モードによれば、蓄熱を生じることなくに冷房運転ができるため、後に安価な深夜電力を有効に使用して蓄熱運転を行うことができる。
【００６２】
このように本発明のヒートポンプによれば、冷媒とともに吸収媒体を使用するためヒートポンプの作動圧力が下がるとともに、吸収媒体と冷媒を貯蔵することによって、冷却作用および加熱作用の両方を吸収媒体の濃度ポテンシャルの形態で蓄熱し、また蓄熱を取り出す際には冷却作用および加熱作用の両方の作用として同時に取り出すことができ、第１の運転モードとして蓄熱を行う蓄熱運転と、第２の運転モードとして蓄熱を保持しつつ冷房を行う運転と、第３の運転モードとして蓄熱を消費して冷房を行う運転と、第４の運転モードとして全く蓄熱を行わずに冷房を行う運転とを備え、各々の運転モードを選択的に切り換えて運転可能にすることができる。
【００６３】
なお、本発明の説明において、機能を明確にするために蒸発器３と冷媒貯蔵空間１４を別の構成機器として示したが、蒸発器３に冷媒貯蔵空間１４の機能を持たせて一体化しても差し支えなく、その場合には図１における開閉弁５２を経路４４または４３中に設けるとともに、経路４７中に新規に開閉弁を設置することで同等の作用が得られる。
【００６４】
また本発明の説明において、機能を明確にするために再生器２と吸収媒体貯蔵空間１２を別の構成機器として示したが、再生器２に吸収媒体貯蔵空間１２の機能を持たせて一体化しても差し支えないが、その場合には第１の運転モードで蓄熱した後に第４の運転モードである圧縮機を運転した非蓄熱運転ができなくなるが、第１の運転モードで蓄熱した後、第２の運転モードあるいは第３の運転モードで蓄熱を使用した冷房運転を行う場合には同等の作用が得られる。
【００６５】
【発明の効果】
以上説明したように本発明によれば、ヒートポンプの作動圧力を下げて、かつ冷却作用および加熱作用の両方を吸収媒体の濃度ポテンシャルの形態で蓄熱するとともに、蓄熱運転と、蓄熱を保持しつつ冷房を行う運転と、蓄熱を消費して冷房を行う運転と、全く蓄熱を使わずに冷房を行う運転を選択的に切り換えて運転可能にすることによって、作動範囲が広く、信頼性が高く、運転経費が安価で、かつ安価な蓄熱機能を備えたヒートポンプおよびデシカント空調システムを提供することができる。
【図面の簡単な説明】
【図１】本発明に係るヒートポンプの一実施例の基本構成を示す説明図。
【図２】本発明に係るデシカント空調機の一実施例の基本構成を示す説明図。
【図３】本発明に係る各種運転形態を示す説明図。
【図４】本発明に係るヒートポンプの第１の運転形態示す説明図。
【図５】図４のヒートポンプのサイクルをデューリング線図で示す説明図。
【図６】本発明に係るヒートポンプの第２の運転形態示す説明図。
【図７】図６のヒートポンプのサイクルをデューリング線図で示す説明図。
【図８】本発明に係るヒートポンプの第３の運転形態示す説明図。
【図９】図８のヒートポンプのサイクルをデューリング線図で示す説明図。
【図１０】本発明に係るヒートポンプの第４の運転形態示す説明図。
【図１１】図１０のヒートポンプのサイクルをデューリング線図で示す説明図。
【図１２】従来のデシカント空調の基本構成を示す説明図。
【図１３】従来のデシカント空調の空気のデシカント空調サイクルをモリエル線図で示す説明図。
【符号の説明】
１・・・吸収器
２・・・再生器
３・・・蒸発器
４・・・凝縮器
５・・・熱交換器
６・・・溶液ポンプ
７・・・圧縮機
１２・・・吸収媒体貯蔵空間
１４・・・冷媒貯蔵空間
２１・・・吸収媒体（溶液）経路
２２・・・吸収媒体（溶液）経路
２３・・・吸収媒体（溶液）経路
２４・・・吸収媒体（溶液）経路
２５・・・吸収媒体（溶液）経路
２６・・・吸収媒体（溶液）経路
２７・・・吸収媒体（溶液）経路
２８・・・吸収媒体（溶液）経路
２９・・・吸収媒体（溶液）経路
３０・・・伝熱管（温水）
３１・・・伝熱管（冷水）
３２・・・伝熱管（冷水）
４０・・・冷媒経路
４１・・・冷媒経路
４２・・・冷媒経路
４３・・・冷媒経路
４４・・・冷媒経路
４５・・・冷媒経路
４６・・・冷媒経路
４７・・・冷媒経路
４８・・・冷媒経路
５０・・・３方弁
５１・・・弁
５２・・・弁
５３・・・３方弁
５５・・・調節弁
５６・・・弁
５７・・・弁
６０・・・冷水経路
６１・・・冷水経路
６２・・・冷水経路
６３・・・冷水経路
６４・・・冷水経路
６５・・・冷水経路
７０・・・弁
７１・・・弁
７２・・・弁
７３・・・弁
８０・・・温水経路
８１・・・温水経路
９０・・・制御機構
９１・・・圧力検出器
９２・・・制御信号経路
９３・・・制御信号経路
１０１・・・空調空間
１０２・・・送風機
１０３・・・デシカントロータ
１０４・・・顕熱熱交換器
１０５・・・加湿器
１０６・・・給水管
１０７・・・空気経路
１０８・・・空気経路
１０９・・・空気経路
１１０・・・空気経路
１１１・・・空気経路
１１５・・・冷水熱交換器
１１７・・・冷水経路
１１８・・・冷水経路
１１９・・・空気経路
１２０・・・温水熱交換器
１２１・・・顕熱熱交換器
１２２・・・温水経路
１２３・・・温水経路
１２４・・・空気経路
１２５・・・空気経路
１２６・・・空気経路
１２７・・・空気経路
１２８・・・空気経路
１２９・・・空気経路
１３０・・・空気経路
１４０・・・送風機
１５０・・・温水ポンプ
１６０・・・冷水ポンプ
２０１・・・冷媒経路
２０２・・・冷媒経路
２０３・・・冷媒経路
２０４・・・冷媒経路
２２０・・・凝縮器
２４０・・・蒸発器
２５０・・・膨張弁
２６０・・・圧縮機
ａ・・・吸収媒体サイクルの状態点
ｂ・・・吸収媒体サイクルの状態点
ｃ・・・吸収媒体サイクルの状態点
ｄ・・・吸収媒体サイクルの状態点
ｅ・・・吸収媒体サイクルの状態点
ｆ・・・吸収媒体サイクルの状態点
Ａ・・・吸収媒体サイクルの状態点
Ｂ・・・吸収媒体サイクルの状態点
Ｃ・・・吸収媒体サイクルの状態点
Ｄ・・・吸収媒体サイクルの状態点
Ｅ・・・吸収媒体サイクルの状態点
Ｆ・・・吸収媒体サイクルの状態点
Ｋ・・・デシカント空調の空気の状態点
Ｌ・・・デシカント空調の空気の状態点
Ｍ・・・デシカント空調の空気の状態点
Ｎ・・・デシカント空調の空気の状態点
Ｐ・・・デシカント空調の空気の状態点
Ｑ・・・デシカント空調の空気の状態点
Ｒ・・・デシカント空調の空気の状態点
Ｓ・・・デシカント空調の空気の状態点
Ｔ・・・デシカント空調の空気の状態点
Ｕ・・・デシカント空調の空気の状態点
Ｖ・・・デシカント空調の空気の状態点
Ｘ・・・デシカント空調の空気の状態点
ＳＡ・・・給気
ＲＡ・・・還気
ＥＸ・・・排気
ＯＡ・・・外気
ΔＱ・・・冷房効果
【図１】
0003743580.tif 000002
【図２】
0003743580.tif 000003
【図３】
0003743580.tif 000004
【図４】
0003743580.tif 000005
【図５】
0003743580.tif 000006
【図６】
0003743580.tif 000007
【図７】
0003743580.tif 000008
【図８】
0003743580.tif 000009
【図９】
0003743580.tif 000010
【図１０】
0003743580.tif 000011
【図１１】
0003743580.tif 000012
【図１２】
0003743580.tif 000013
【図１３】
0003743580.tif 000014